【手続補正書】
【提出日】令和3年11月15日(2021.11.15)
【手続補正１】
【補正対象書類名】特許請求の範囲
【補正対象項目名】全文
【補正方法】変更
【補正の内容】
【特許請求の範囲】
【請求項１】
車車間(V2V)通信のためのセキュアリンクを確立するためのデバイスにおいて動作可能な方法であって、
サイドリンクシグナリングを介してサービス告知メッセージを少なくとも1つの他のデバイスに送信するステップであって、前記サービス告知メッセージが、サービスを実行するための前記デバイスの能力を示し、前記デバイスの少なくともセキュリティ証明書を含む、ステップと、
前記サービスに対応する前記少なくとも1つの他のデバイスとの前記セキュアリンクを確立するステップであって、前記セキュアリンクを確立するステップが、
直接通信要求メッセージを前記少なくとも1つの他のデバイスから受信するステップであって、前記直接通信要求メッセージが、前記少なくとも1つの他のデバイスの少なくともセキュリティ証明書を含む、ステップと、
直接セキュリティモードコマンドメッセージを前記少なくとも1つの他のデバイスに送信するステップと、
直接セキュリティモード完了メッセージを前記少なくとも1つの他のデバイスから受信するステップと、
直接通信受け入れメッセージを前記少なくとも1つの他のデバイスに送信するステップと、
前記デバイスと前記少なくとも1つの他のデバイスとの間のデバイスキーを確立するステップと、を含む、ステップと、
前記確立されたデバイスキーに基づいて、前記セキュアリンクを介して前記デバイスと前記少なくとも1つの他のデバイスとの間で前記サービスのためのサービスデータを通信するステップと、を含む、
方法。
【請求項２】
前記少なくとも1つの他のデバイスが、第2のデバイスであり、
前記デバイスキーを確立するステップが、
前記デバイスキーを生成するステップと、
前記第2のデバイスの公開キーを用いて前記デバイスキーを暗号化するステップと、
前記直接通信要求メッセージの前記受信の後に、かつ前記直接セキュリティモードコマンドメッセージの前記送信の前に、前記暗号化されたデバイスキーを前記第2のデバイスに送信するステップと、を含む、
請求項1に記載の方法。
【請求項３】
前記少なくとも1つの他のデバイスが、第2のデバイスであり、
前記デバイスキーを確立するステップが、
前記直接通信要求メッセージの前記受信の後に、かつ前記直接セキュリティモードコマンドメッセージの前記送信の前に、前記デバイスの公開キーを用いて暗号化された前記デバイスキーを前記第2のデバイスから受信するステップを含む、
請求項1に記載の方法。
【請求項４】
前記少なくとも1つの他のデバイスが、第2のデバイスであり、
前記デバイスキーを確立するステップが、
前記デバイスキーの第1の部分を生成するステップと、
前記第2のデバイスの公開キーを用いて前記デバイスキーの前記第1の部分を暗号化するステップと、
前記直接通信要求メッセージの前記受信の後に、かつ前記直接セキュリティモードコマンドメッセージの前記送信の前に、前記デバイスキーの前記暗号化された第1の部分を前記第2のデバイスに送信するステップと、
前記直接通信要求メッセージの前記受信の後に、かつ前記直接セキュリティモードコマンドメッセージの前記送信の前に、前記デバイスの公開キーを用いて暗号化された前記デバイスキーの第2の部分を前記第2のデバイスから受信するステップと、を含む、
請求項1に記載の方法。
【請求項５】
前記少なくとも1つの他のデバイスが、第2のデバイスであり、
前記デバイスキーを確立するステップが、
前記デバイスキーを生成するステップと、
前記第2のデバイスの公開キーを用いて前記デバイスキーを暗号化するステップと、
前記直接セキュリティモードコマンドメッセージを介して、前記暗号化されたデバイスキーを前記第2のデバイスに送信するステップと、を含む、
請求項1に記載の方法。
【請求項６】
前記少なくとも1つの他のデバイスが、第2のデバイスであり、
前記デバイスキーを確立するステップが、
前記直接通信要求メッセージを介して前記第2のデバイスから、前記サービス告知メッセージに含まれる前記デバイスの前記セキュリティ証明書を用いて暗号化された前記デバイスキーを受信するステップを含む、
請求項1に記載の方法。
【請求項７】
前記少なくとも1つの他のデバイスが、複数のデバイスであり、
前記デバイスキーを確立するステップが、
前記デバイスキーを生成するステップと、
複数の情報要素を生成するために、前記複数のデバイスの各々の公開キーを用いて前記デバイスキーを暗号化するステップと、
前記直接セキュリティモードコマンドメッセージを介して、前記複数の情報要素を前記複数のデバイスに送信するステップと、を含む、
請求項1に記載の方法。
【請求項８】
前記デバイスが前記少なくとも1つの他のデバイスから直接通信キープアライブメッセージを受信できないこと、
前記少なくとも1つの他のデバイスがもはや近くにないことを前記デバイスが検出すること、または、
前記デバイスが前記サービスデータの前記通信を終了するための前記少なくとも1つの他のデバイスからの要求を受信すること
のうちの少なくとも1つに基づいて、前記サービスデータの前記通信を終了するステップをさらに含む、
請求項1に記載の方法。
【請求項９】
車車間(V2V)通信のためのセキュアリンクを確立するためのデバイスであって、
サイドリンクシグナリングを介してサービス告知メッセージを少なくとも1つの他のデバイスに送信する手段であって、前記サービス告知メッセージが、サービスを実行するための前記デバイスの能力を示し、前記デバイスの少なくともセキュリティ証明書を含む、手段と、
前記サービスに対応する前記少なくとも1つの他のデバイスとの前記セキュアリンクを確立する手段であって、前記セキュアリンクを確立する手段が、
直接通信要求メッセージを前記少なくとも1つの他のデバイスから受信することであって、前記直接通信要求メッセージが、前記少なくとも1つの他のデバイスの少なくともセキュリティ証明書を含む、受信することと、
直接セキュリティモードコマンドメッセージを前記少なくとも1つの他のデバイスに送信することと、
直接セキュリティモード完了メッセージを前記少なくとも1つの他のデバイスから受信することと、
直接通信受け入れメッセージを前記少なくとも1つの他のデバイスに送信することと、
前記デバイスと前記少なくとも1つの他のデバイスとの間のデバイスキーを確立することとを行うように構成される、手段と、
前記確立されたデバイスキーに基づいて、前記セキュアリンクを介して前記デバイスと前記少なくとも1つの他のデバイスとの間で前記サービスのためのサービスデータを通信する手段と、を備える、
デバイス。
【請求項１０】
車車間(V2V)通信のためのセキュアリンクを確立するためのデバイスにおいて動作可能な方法であって、
サイドリンクシグナリングを介してサービス告知メッセージを第2のデバイスから受信するステップであって、前記サービス告知メッセージが、サービスを実行するための前記第2のデバイスの能力を示し、前記第2のデバイスの少なくともセキュリティ証明書を含む、ステップと、
前記サービスに対応する前記第2のデバイスとのセキュアリンクを確立するステップであって、前記セキュアリンクを確立するステップが、
直接通信要求メッセージを前記第2のデバイスに送信するステップであって、前記直接通信要求メッセージが、前記デバイスの少なくともセキュリティ証明書を含む、ステップと、
直接セキュリティモードコマンドメッセージを前記第2のデバイスから受信するステップと、
直接セキュリティモード完了メッセージを前記第2のデバイスに送信するステップと、
直接通信受け入れメッセージを前記第2のデバイスから受信するステップと、
前記デバイスと前記第2のデバイスとの間のデバイスキーを確立するステップと、を含む、ステップと、
前記確立されたデバイスキーに基づいて、前記セキュアリンクを介して前記デバイスと前記第2のデバイスとの間で前記サービスのためのサービスデータを通信するステップと、を含む、
方法。
【請求項１１】
前記デバイスキーを確立するステップが、
前記デバイスキーを生成するステップと、
前記第2のデバイスの公開キーを用いて前記デバイスキーを暗号化するステップと、
前記直接通信要求メッセージの前記送信の後に、かつ前記直接セキュリティモードコマンドメッセージの前記受信の前に、前記暗号化されたデバイスキーを前記第2のデバイスに送信するステップと、を含む、または、
前記直接通信要求メッセージの前記送信の後に、かつ前記直接セキュリティモードコマンドメッセージの前記受信の前に、前記デバイスの公開キーを用いて暗号化された前記デバイスキーを前記第2のデバイスから受信するステップと、を含む、または、
前記デバイスキーの第1の部分を生成するステップと、
前記第2のデバイスの公開キーを用いて前記デバイスキーの前記第1の部分を暗号化するステップと、
前記直接通信要求メッセージの前記送信の後に、かつ前記直接セキュリティモードコマンドメッセージの前記受信の前に、前記デバイスキーの前記暗号化された第1の部分を前記第2のデバイスに送信するステップと、
前記直接通信要求メッセージの前記送信の後に、かつ前記直接セキュリティモードコマンドメッセージの前記受信の前に、前記デバイスの公開キーを用いて暗号化された前記デバイスキーの第2の部分を前記第2のデバイスから受信するステップと、を含む、または、
前記デバイスキーを生成するステップと、
前記サービス告知メッセージに含まれる前記第2のデバイスのセキュリティ証明書を用いて前記デバイスキーを暗号化するステップと、
前記直接通信要求メッセージを介して、前記暗号化されたデバイスキーを前記第2のデバイスに送信するステップと、を含む、または、
前記直接セキュリティモードコマンドメッセージを介して、前記デバイスの公開キーを用いて暗号化された前記デバイスキーを前記第2のデバイスから受信するステップと、を含む、
請求項10に記載の方法。
【請求項１２】
前記デバイスが前記第2のデバイスに直接通信キープアライブメッセージを送信できないこと、
前記デバイスがもはや前記第2のデバイスの近くにないこと、または、
前記デバイスが前記サービスデータの前記通信を終了するための前記第2のデバイスへの要求を送信すること
のうちの少なくとも1つに基づいて、前記サービスデータの前記通信を終了するステップをさらに含む、
請求項10に記載の方法。
【請求項１３】
車車間(V2V)通信のためのセキュアリンクを確立するためのデバイスであって、
サイドリンクシグナリングを介してサービス告知メッセージを第2のデバイスから受信する手段であって、前記サービス告知メッセージが、サービスを実行するための前記第2のデバイスの能力を示し、前記第2のデバイスの少なくともセキュリティ証明書を含む、手段と、
前記サービスに対応する前記第2のデバイスとのセキュアリンクを確立する手段であって、前記セキュアリンクを確立する手段が、
直接通信要求メッセージを前記第2のデバイスに送信することであって、前記直接通信要求メッセージが、前記デバイスの少なくともセキュリティ証明書を含む、送信することと、
直接セキュリティモードコマンドメッセージを前記第2のデバイスから受信することと、
直接セキュリティモード完了メッセージを前記第2のデバイスに送信することと、
直接通信受け入れメッセージを前記第2のデバイスから受信することと、
記デバイスと前記第2のデバイスとの間のデバイスキーを確立することと、を行うように構成される、手段と、
前記確立されたデバイスキーに基づいて、前記セキュアリンクを介して前記デバイスと前記第2のデバイスとの間で前記サービスのためのサービスデータを通信する手段と、を含む、
デバイス。